(57)【特許請求の範囲】
【請求項１】
上部が開口された外ケースと、
該外ケースの内部に配設されて、上部開口された内ケースと、
前記外ケースと前記内ケースとを断熱的に連結して、商品取出口を形成する断熱枠体と、
該断熱枠体の外観を装う化粧枠体と、
前記化粧枠体の長手方向に沿って当該化粧枠体に設けられた係合手段と、
前記断熱枠体の長手方向に沿って当該断熱枠体に設けられ、前記係合手段に押込み挿入されることにより前記化粧枠体と前記断熱枠体とを係合する被係合手段と、
コーナ部に被せられるコーナ化粧枠体と、
前記断熱枠体により形成された商品取出口を開閉する蓋と、
前記内ケースを冷凍室として作用させる冷凍装置とを有することを特徴とする冷凍ショーケース。
【発明の詳細な説明】
【０００１】
【発明の属する技術分野】
本発明は，長尺の化粧枠体と断熱枠体とを容易に係合又は当該係合解除を行うことが可能な冷凍ショーケースに関する。
【０００２】
【従来の技術】
従来，冷凍商品等を貯蔵する冷凍ショーケースとして，実公平８−１４３１号公報にかかるものがある。
【０００３】
当該公報にかかる冷凍ショーケースは，外ケースと内ケースとを有し，各ケース間に断熱材が内装されて断熱層を形成している。そして内ケースは冷凍室になっており，外ケース及び内ケースの上部が枠体により連結されて，商品等を出し入れする商品取出口を形成している。当該商品取出口には，引戸式の蓋が設けられている。
【０００４】
枠体は，内ケースに向って下るように階段状の段差が形成され，当該段差上を蓋の端部がスライドして，当該蓋が開閉されて商品を冷凍室に出し入れできるようになっている。
【０００５】
内ケースの下部には，圧縮機等の冷凍装置を構成する物品が収納され，また断熱材側の外ケース側面に凝縮器が設けられると共に，断熱材側の内ケース側面に蒸発器が設けられている。
【０００６】
そして，圧縮機で断熱圧縮された冷媒は，外ケースを介して大気に放熱して液化し，当該液化した冷媒が減圧装置により減圧されて蒸発器内で蒸発気化する。これにより内ケースが冷却されて冷凍室として作用するようになっている。
【０００７】
このとき，蓋及び枠体は，冷凍室の冷気により冷されるため，これらに付着した水滴が凍結して，蓋が開閉しないようになる場合がある。そこで，かかる事態を防止するために，圧縮機から凝縮器に供給される高温ガスを導く配管が当該枠体に接して配管されている。
【０００８】
【発明が解決しようとする課題】
しかしながら，上記構成では，枠体の外観を装うために化粧部材が設けられ，当該化粧部材がネジ等により外ケースに取付けられているので，当該ネジが外部から見える問題があった。無論，かかる場合には，ネジ等を覆う部材を設けることも可能であるが，このような場合には枠体等の取外しが面倒になる問題がある。
【０００９】
そこで本発明は，外観を化粧する部材を設ける際に，ネジ等を用いることなく当該部材の脱着を容易にした冷凍ショーケースを提供することを目的とする。
【００１０】
【課題を解決するための手段】
上記課題を解決するために，上部が開口された外ケースと，該外ケースの内部に配設されて，上部開口された内ケースと，外ケースと内ケースとを断熱的に連結して，商品取出口を形成する断熱枠体と，該断熱枠体の外観を装う化粧枠体と，化粧枠体の長手方向に沿って当該化粧枠体に設けられた係合手段と，断熱枠体の長手方向に沿って当該断熱枠体に設けられ，係合手段に押込み挿入されることにより化粧枠体と断熱枠体とを係合する被係合手段と，コーナ部に被せられるコーナ化粧枠体と、断熱枠体により形成された商品取出口を開閉する蓋と，内ケースを冷凍室として作用させる冷凍装置とを有することを特徴とする。
【００１１】
即ち，内ケースと外ケースとを断熱枠体により断熱的に連結し，外部から見える当該断熱枠体を装うように化粧枠体を設ける。また，化粧枠体の長手方向に沿って係合手段を設け，断熱枠体の長手方向に沿って被係合手段を設ける。そして，化粧枠体を断熱枠体に係合する際には，化粧枠体の係合手段を断熱枠体の被係合手段に挿入し，その後，当該化粧枠体を断熱枠体の長手方向に沿って押込むことにより係合するようにしたことを特徴とする。
【００１２】
【発明の実施の形態】
本発明の実施の形態を図を参照して説明する。図１は本発明にかかる冷凍ショーケースの斜視図であり，図２はその断面図である。また図３は冷凍装置の構成を示す図である。
【００１３】
冷凍ショーケースは，ケースの外観をなす上部が開口した外ケース１，該外ケース１の内部に配設され，上部が開口した内ケース２，該内ケース２と外ケース１との間に配設された発泡ウレタン等の断熱材３，外ケース１と内ケース２との上端部を断熱的に連結する枠体４，冷凍ショーケースの上部開口部に設けられた引戸式の蓋５，圧縮機６や凝縮器７等からなる冷凍装置８等を有して，冷凍装置８により内ケース２を冷却して当該内ケース２を冷凍室として作用させ，そして蓋５を開閉することにより冷凍室に商品が出し入れ可能になっている。
【００１４】
冷凍装置８は，図２及び図３に示すように，内ケース２の下部に設けられた仕切板９の下に設けられて，冷媒を断熱圧縮する圧縮機６，枠体４に接して設けられて，当該枠体４に付着している水滴等が凍結しないように，供給された高温ガスの熱により当該枠体４を加温する枠体加温器１０，外ケース１の断熱材３側に密着して設けられて，供給された冷媒の熱を当該外ケース１から大気に放出して液化させる凝縮器７，液化された冷媒中に含まれる水分を除去する乾燥器１１，液化した冷媒を減圧するキャピラリーチューブ等の減圧装置１２，内ケース２の断熱材３側に密着して設けられて，供給された冷媒により内ケース２を冷却し，これにより当該内ケース２を冷凍室として作用させる蒸発器１３等を有している。なお，図３における矢印は冷媒の循環方向を示している。
【００１５】
図４は枠体４を含む部分断面図で，図４（ａ）は図１における矢視ＡＡ断面，図４（ｂ）は図１における矢視ＢＢ断面を示している。
【００１６】
枠体４は，塩化ビニール等の熱伝導度の小さい部材からなる断熱枠体６１と，当該断熱枠体６１の上部に設けられて，断熱枠体６１の外観を装う化粧枠体６２とからなり，断熱枠体６１は，射出成形によりコーナ部が一体に形成された横枠体６３と，押出成形により形成されて，横枠体６３と接続部で接続された縦枠体６４とからなっている（図６参照）。
【００１７】
なお，化粧枠体６２は，軽量，かつ，傷が着きにくいアルミニューム等の部材を押出し成形して形成されている。
【００１８】
また，図５（ａ）は化粧枠体６２の断面図，図５（ｂ）は化粧枠体６２がない図４（ａ）に相当する部分断面図，図５（ｃ）は化粧枠体６２がない図４（ｂ）に相当する部分断面図である。
【００１９】
図５（ａ）に示すように，化粧枠体６２は，枠体４側に開口して内部が空洞８９となっている上面化粧部８８と，外ケース１側の側面を覆うように設けられた側面化粧部９０とを有している。
【００２０】
そして，上面化粧部８８の開口端部には，互いに向い合うように形成された内爪９１及び外爪９２が設けられ，側面化粧部９０には当該側面化粧部９０に立設して設けられた断面Ｌ字状の下爪９３が設けられている。
【００２１】
横枠体６３及び縦枠体６４は，外ケース１から内ケース２に向って下る階段状に形成れて，蓋５がスライドする摺動面を成す段差部６５及び化粧枠体６２が係合される化粧枠係合部６６を有している。
【００２２】
そして，段差部６５の最下段の端部には，断熱枠体６１と内ケース２とを係合させる内ケース係合部６７が設けられ，化粧枠体係合部６６の下部には，両面テープ等の接着手段７２が設けられて，当該接着手段７２により断熱枠体６１を外ケース１に接着している。
【００２３】
また，縦枠体６４の段差部６５における，最上段の水平面は，上蓋５ａがスライドする摺動面６８を成し，中段の水平面は，下蓋５ｂがスライドする摺動面６９を成している。
【００２４】
図４（ａ）及び図５（ｂ）に示すように，縦枠体６４の化粧枠体係合部６６は，段差部６５から分岐して延設された上係合部８３と下係合部８４とからなり，これらが外ケース１側に開口部８５を形成するように設けられている。
【００２５】
上係合部８３の端部には，外ケース１側に当接片８６が形成され，内ケース２側に外ケース１に向って窪んだ内溝８７が形成されている。さらに，下係合部８４の端部には，上方に向って窪んだ下溝９４が形成されている。
【００２６】
また，図４（ｂ）及び図５（ｃ）に示すように，横枠体６３における化粧枠体係合部６６の頂部には，凸部７６が設けられ，当該凸部７６上には，断面Ｌ字状の係合片７７がネジ７８によりネジ止めされて，係合片７７の両端下部と横枠体６３との間に所定のスペースを形成することにより，外溝７９及び内溝８０を形成している。また当該化粧枠体係合部６６の側面下部には，下溝８２が形成されている。
【００２７】
そして，横枠体６３と化粧枠体６２との係合は，外溝７９に外爪９２が挿嵌し，内溝８０に内爪９１が挿嵌し，下溝８２に下爪９３が挿嵌することにより行われ，縦枠体６４と化粧枠体６２との係合は，当接片８６に外爪９２が当接し，内溝８７に内爪９１が挿嵌し，下溝９４に下爪９３が挿嵌することにより行われる。
【００２８】
なお，当接片８６は，上面化粧部８８に設けられた空洞８９内に挿入されて，当該当接片８６の側面と外爪９２の側面とが面接触している。
【００２９】
ところで，断熱枠体６１を横枠体６３と縦枠体６４とに分けて構成したのは，需要の多様化により，要求される冷凍ショーケースの大きさもユーザにより異なる場合があり，かかる場合に，その都度，部材を設計し製造していたのでは，部材のコストが高くなり，ひいては冷凍ショーケースそのもののコストの上昇を招いてしまう問題に対処するためである。
【００３０】
即ち，部材の汎用化を図り，コストの低減を可能にするために，複雑な構成（例えば，コーナ部や溝）を有する部分は，射出成形により製造し，一様な断面構造の部分は押出成形により製造して，当該押出成形により製造された部材を汎用部材として用いている。
【００３１】
上記構成に基づき，本発明に係る冷凍ショーケースの概略的な組立手順は，以下のように行われる。まず，凝縮器７が取付けられた外ケース１と，蒸発器１３が取付けられた内ケース２とが断熱枠体６１により連結される。そして断熱材３が充填され，その後圧縮機６等が配設されて完了する。
【００３２】
このとき断熱枠体６１のうち，押出し成形による縦枠体６４は，汎用部材を所定の長さに切出して用いられる。断熱枠体６４による外ケース１と内ケース２との連結は，内ケース２の開口端部を断熱枠体６１の内ケース係合部６７に挿入して係合させ，また断熱枠体６１の外ケース接合面を接着手段７２により外ケース１に接着させることにより行う。
【００３３】
そして，化粧枠体６２の縦枠体６４及び横枠体６３への装着は，図６に示すように，内溝８０，８７に内爪９１，外溝７９に外爪９２又は当接片８６に外爪９２，下溝８２，９４に下爪９３をそれぞれ挿入し又は当接させて，化粧枠体６２を縦及び横枠体６３の端部から挿入し，徐々に押込むことにより行われる。
【００３４】
その後，コーナ部にコーナ化粧枠体７０が，被せられて化粧枠体６２と断熱枠体６１との組立が完了する。
【００３５】
従って，化粧枠体６２をネジ等により外ケース１に固定しなくてもよくなるので，外観を損うことがなくなると共に，断熱枠体６１に容易に装着することができ，また取外すことができるようになる。
【００３６】
次に，このようにして構成された，冷凍ショーケースの動作を説明する。冷媒は，圧縮機６により断熱圧縮されて高温ガスとなり，枠体加温器１０に送られる。これにより枠体４は，加温されて，結露等により付着した水滴の凍結が防止され，摺動面６８，６９が凍結して蓋５が動かなくなることがなくなる。
【００３７】
その後，冷媒は凝縮器７に送られ，外ケース１を介して熱を外気に放出することにより液化する。液化冷媒は，乾燥器１１で水分が除去されて，減圧装置１２により減圧され蒸発器１３に送られ，当該蒸発器１３内で蒸発気化して内ケース２を冷却する。これにより，当該内ケース２が冷凍室として作用する。
【００３８】
【発明の効果】
以上説明したように，本発明によれば，化粧枠体の長手方向に沿って係合手段を設け，断熱枠体の長手方向に沿って被係合手段を設けて，化粧枠体を断熱枠体に対してスライドさせることにより，これらを係合するようにしたので，ネジ等により化粧枠体を外ケースに取付けることなく，容易に断熱枠体の外観を化粧することができると共に，当該化粧枠体の取外しも容易になる。
【図面の簡単な説明】
【図１】本発明の実施の形態の説明に適用される冷凍ショーケースの外観斜視図である。
【図２】図１にかかる冷凍ショーケースの断面図である。
【図３】冷凍装置の構成を示す図である。
【図４】枠体を含む部分断面図で，（ａ）は図１における矢視ＡＡ断面，（ｂ）は図１における矢視ＢＢ断面である。
【図５】（ａ）は化粧枠体の断面図，（ｂ）は化粧枠体がない図４（ａ）に相当する部分断面図，（ｃ）は化粧枠体がない図４（ｂ）に相当する部分断面図である。
【図６】化粧枠体の装着方法を示す図である。
【符号の説明】
１  外ケース
２  内ケース
３  断熱材
４  枠体
８  冷凍装置
６１  断熱枠体
６２  化粧枠体
６３  横枠体
６４  縦枠体
６５  段差部
６７  化粧枠体係合部
７６  凸部
７７  係合片
７９  外溝
８０，８７  内溝
８２，９４  下溝
８３  上係合部
８４  下係合部
８５  開口部
８６  当接片
９１  内爪
９２  外爪
９３  下爪
【図１】
0003604857.tif 000002
【図２】
0003604857.tif 000003
【図３】
0003604857.tif 000004
【図４】
0003604857.tif 000005
【図５】
0003604857.tif 000006
【図６】
0003604857.tif 000007